【手続補正書】
【提出日】令和2年6月26日(2020.6.26)
【手続補正１】
【補正対象書類名】特許請求の範囲
【補正対象項目名】全文
【補正方法】変更
【補正の内容】
【特許請求の範囲】
【請求項１】
第１のダクト（１１０）と第２のダクト（１１２）との間に形成された接合部（１１４）を保護するためのブランケットアセンブリ（２０２）であって、
前記第１のダクト（１１０）の周囲に連結されるように構成された第１のブランケット部材（２１２）であって、第１の側面、対向する第２の側面、及び前記第１の側面と前記第２の側面との間を延びる一対の補強継目（２２４）を含む第１のブランケット部材（２１２）と、
前記第２のダクト（１１２）の周囲に連結されるように構成された第２のブランケット部材（２１４）であって、前記第１のブランケット部材から延びる第２のブランケット部材と、
前記第１のブランケット部材（２１２）及び前記第２のブランケット部材（２１４）に連結されたストラップ（２１６）であって、前記ストラップが、対向する端を含み、かつ前記対向する端の間で連続的であり、前記ストラップは、ダクト破裂事象中に前記第２のブランケット部材（２１４）から前記第１のブランケット部材（２１２）に荷重経路が設けられるように、前記第１のブランケット部材（２１２）を前記第２のブランケット部材（２１４）に連結するように構成されている、ストラップと
を備えるブランケットアセンブリ。
【請求項２】
前記ストラップ（２１６）が、前記第１のブランケット部材が前記第１のダクトの周囲に巻かれたとき、前記第１のブランケット部材（２１２）の周囲を実質的に周方向に延びる、請求項１に記載のブランケットアセンブリ。
【請求項３】
前記ストラップ（２１６）が前記第１のブランケット部材が前記第２のダクトの周囲に巻かれたとき、前記第２のブランケット部材（２１２）に沿って実質的に軸方向に延びる、請求項２に記載のブランケットアセンブリ。
【請求項４】
前記ストラップ（２１６）が、実質的にジグザグパターンで前記補強継目（２２４）の間を延びる、請求項１から３のいずれか一項に記載のブランケットアセンブリ。
【請求項５】
前記補強継目（２２４）が、材料の複数の層（２０４）、（２０８）、及び（２１０）と、材料の各層の間に位置付けられた結合材料とを含む、請求項１から４のいずれか一項に記載のブランケットアセンブリ。
【請求項６】
前記第１のブランケット部材（２１２）が、一対の第２のダクト開口（２２６）を含み、前記第２のブランケット部材（２１４）が、前記一対の第２のダクト開口（２２６）のうちの１つで前記第１のブランケット部材（２１２）と連結されている、請求項１から５の何れか一項に記載のブランケットアセンブリ。
【請求項７】
前記第２のブランケット部材（２１４）を前記第２のダクト（１１２）に連結するように構成されたブランチ固定機構（２１９）を更に備える、請求項１から６の何れか一項に記載のブランケットアセンブリ。
【請求項８】
前記ブランチ固定機構（２１９）が、前記第２のブランケット部材（２１４）と一体的に形成される、請求項７に記載のブランケットアセンブリ。
【請求項９】
ダクト接合部の一体性を維持する方法であって、
第１のブランケット部材（２１２）を介して第１のダクト（１１０）に圧縮力を印加することと、
第２のブランケット部材（２１４）を介して接合部（１１４）で前記第１のダクト（１１０）に連結された第２のダクト（１１２）にストラップ（２１６）を使用して圧縮力を印加することであって、前記ストラップ（２１６）は、対向する端の間で連続的であり、前記第１のブランケット部材（２１２）及び前記第２のブランケット部材（２１４）に連結される、第２のダクト（１１２）に圧縮力を印加することと、
前記第１のダクト（１１０）及び前記第２のダクト（１１２）の接合部の一体性を維持するために、前記ストラップ（２１６）を介して、前記第２のダクト（２１４）から前記第１のダクト（２１２）まで荷重経路を方向付けることと
を含む方法。
【請求項１０】
前記荷重経路を方向付けることが、前記第１のブランケット部材（２１２）の上の一対の補強継目（２４１）、（２４３）の間で前記荷重経路を方向付けることを含む、請求項９に記載の方法。
【請求項１１】
前記荷重経路を方向付けることが、前記第１のブランケット部材（２１２）及び前記第２のブランケット部材（２１４）にわたって実質的にジグザグパターンで前記荷重経路を方向付けることを含む、請求項９又は１０に記載の方法。
【請求項１２】
前記荷重経路を方向付けることが、第２のダクト中心線に関して前記第２のダクト（１１２）の前記荷重経路の半径方向に配向された力を、第１のダクト中心線（１２０）に関して前記第１のダクト（１１０）の前記荷重経路の軸方向に配向された力に変換することを含む、請求項９から１１の何れか一項に記載の方法。
【請求項１３】
前記荷重経路を方向付けることが、前記第１のブランケット部材（２１２）の上の一対の補強継目（２４１）、（２４３）の間で実質的にジグザグパターンで、かつ前記第２のブランケット部材（２１４）にわたって実質的にジグザグパターンで前記荷重経路を方向付けることを含む、請求項９から１２の何れか一項に記載の方法。
【請求項１４】
前記圧縮力を前記第１のダクト（１１０）に印加することが、前記ストラップ（２１６）を前記第１のダクト（１１０）の周囲で実質的に周方向に延長することを含み、前記圧縮力を前記第２のダクト（１１２）に印加することが、前記ストラップ（２１６）を前記第２のダクト（１１２）の周囲で実質的に軸方向に延長することを含む、請求項９から１３の何れか一項に記載の方法。
【請求項１５】
第１のダクト（１１０）の周囲に連結された第１のブランケット部材（２１２）と、
第２のダクト（１１２）の周囲に連結された第２のブランケット部材（２１４）であって、前記第１のダクト（１１０）及び前記第２のダクト（１１２）が、それらの間に接合部を形成するように連結されており、前記第２のブランケット部材（２１４）が、前記第１のブランケット部材（２１２）から延びる、第２のブランケット部材（２１４）と、
前記第１のブランケット部材（２１２）及び前記第２のブランケット部材（２１４）に連結されたストラップ（２１６）であって、前記ストラップ（２１６）が、対向する端を含み、かつ前記対向する端の間で連続的であり、前記ストラップは、ダクト破裂事象中に前記第２のブランケット部材（２１４）から前記第１のブランケット部材（２１２）に荷重経路が設けられるように、前記第１のブランケット部材（２１２）を前記第２のブランケット部材（２１４）に連結するように構成されている、ストラップと
を備える接合保護アセンブリ
を備えるビークル。
【請求項１６】
前記第１のブランケット部材が、
第１の側面と、
対向する第２の側面と、
前記第１の側面と前記第２の側面との間を延びる一対の補強継目（２４１）、（２４３）と、
一対の第２のダクト開口（２２６）であって、前記第２のブランケット部材（２１４）が、前記一対の第２のダクト開口（２２６）のうちの１つで前記第１のブランケット部材（２１２）と連結されている、一対の第２のダクト開口と
を含む、請求項１５に記載のビークル。
【請求項１７】
前記ストラップ（２１６）が、前記第１のブランケット部材（２１２）及び前記第２のブランケット部材（２１４）にわたって実質的にジグザグパターンで、前記補強継目（２４１）（２４３）の間を延びる、請求項１６に記載のビークル。
【請求項１８】
前記ストラップ（２１６）が、第１のダクト中心線（１２０）に関して前記第１のブランケット部材（２１２）の周囲を実質的に周方向に延び、前記ストラップ（２１６）が、第２のダクト中心線（１２２）に関して前記第２のブランケット部材（２１４）に沿って実質的に軸方向に延びる、請求項１５から１７の何れか一項に記載のビークル。
【請求項１９】
前記第１のブランケット部材（２１２）及び前記第２のブランケット部材（２１４）が各々、織布材料の単一層を含む、請求項１５から１８の何れか一項に記載のビークル。